(57)【特許請求の範囲】
【請求項１】
軒天井部分の通気に用いられる軒天井用水切構造体であって、
垂直面が、通気路を形成するための縦胴縁の外面下方に取付けられると共に、下面が、内方側に延びる軒天井用見切縁材と、
前記縦胴縁の内面下方に配置される軒天井用水切材とを備え、
前記軒天井用見切縁材の下面には通気穴が形成され、
前記軒天井用水切材の下端は、前記通気穴の近傍に延びる、軒天井用水切構造体。
【請求項２】
前記軒天井用水切材は、
垂直部と、
前記垂直部の下端に接続された延長部とを含み、
前記垂直部は、前記縦胴縁が取付けられる面材と、前記面材の下端に接し水平方向内方に延びる軒天井部材の外方端に沿って取付けられ、
前記軒天井用見切縁材の前記下面の内方側端部は、前記軒天井部材の下面に当接する、請求項１記載の軒天井用水切構造体。
【請求項３】
前記軒天井用水切材の前記延長部は、前記軒天井用見切縁材の前記通気穴の内方側端部に向かって延びる、請求項２記載の軒天井用水切構造体。
【請求項４】
前記軒天井用水切材の前記垂直部の下端は、前記軒天井部材の前記外方端の下方に位置し、
前記軒天井用水切材の前記延長部の端部は、前記軒天井部材の前記下面に当接する、請求項２記載の軒天井用水切構造体。
【請求項５】
前記軒天井用水切材の前記延長部は、外方下方に延びると共に開口を有する、請求項２記載の軒天井用水切構造体。
【発明の詳細な説明】
【技術分野】
【０００１】
この発明は軒天井用水切構造体に関し、特に建築物における軒天井部分の通気に用いられる軒天井用水切構造体に関するものである。
【背景技術】
【０００２】
図１４は、従来の軒天井用見切縁材を軒天井部分に取付けたときの概略断面図である。
【０００３】
図を参照して、従来の軒天井用見切縁材６１は、建築物１の軒天井部分２の通気に用いられるものであって、縦胴縁４の外面下方に取付けられて、後述する絶縁テープ６５の外方側に裏打ち材２２及びラス材２３を介してモルタル２８が塗布される。
【０００４】
図１５は、図１４で示した軒天井用見切縁材の概略正面図であり、図１６は、図１４で示した軒天井用見切縁材の概略背面図であり、図１７は、図１４で示した軒天井用見切縁材の概略平面図であり、図１８は、図１７で示したＸＶＩＩＩ−ＸＶＩＩＩラインから見た概略拡大断面図であり、図１９は、図１７で示したＸＩＸ−ＸＩＸラインから見た概略拡大断面図である。
【０００５】
これらの図を参照して、従来の軒天井用見切縁材６１は、正面視長尺の矩形形状の鋼板素材からなる平板に切り込みを入れた後にプレス成形及び折曲げ成形等をすることによって形成され、図１４で示した通気路５を形成するための図１４で示した縦胴縁４の外方下面に取付けられる垂直面６３と、垂直面６３の下方端部に接続されて外方下方に傾斜して延びる傾斜面６８と、傾斜面６８の下方端部に接続されて、傾斜面６８と角θをなすように内方側に延びる下面７０と、下面７０の内方側端部７４に接続されて、下面７０と角９０度をなすように外方上方に延びる第１折曲げ面７５と、第１折曲げ面７５の上方端部に接続されて、第１折曲げ面７５と角９０度をなすように外方下方に延びる第２折曲げ面７６とから構成される。
【０００６】
軒天井用見切縁材６１の下面７０には、上方向に台形形状となるように、正面視左右方向に規則正しい間隔で設けられた凹み部７２によって、通気穴７１が多数形成されている。
【０００７】
軒天井用見切縁材６１の下面７０と傾斜面６８とのなす角θは、下面７０の内方端が外方端を含む水平面よりも上方に位置する態様で傾斜するように設定されている。
【０００８】
軒天井用見切縁材６１の垂直面６３の内方面には、絶縁テープ６６が貼り付けられている。軒天井用見切縁材６１の垂直面６３の外方面、及び、軒天井用見切縁材６１の傾斜面６８の外方面には、絶縁テープ６５が貼り付けられている。
【０００９】
取付に際して、図１４を参照して、軒天井用見切縁材６１の下面７０の内方側端部７４である第１折曲げ面７５及び第２折曲げ面７６が、建築物１の軒天井部材１７の下面１９に当接するように、軒天井用見切縁材６１は縦胴縁４に取付けられている。
【００１０】
使用に際して、図１４の破線の矢印で示したように、外気が、軒天井用見切縁材６１の下面７０の通気穴７１を介して、建築物１の軒天井部分２における軒天井用見切縁材６１の垂直面６３と透湿防水シート９との間に形成された縦胴縁４間の通気層５に出入り自在に通気できるようになっている。
【発明の概要】
【発明が解決しようとする課題】
【００１１】
上記のような従来の軒天井用見切縁材６１においては、図１４を参照して、縦胴縁４間の通気路５の内方側で結露水等が生じた際に、実線の垂直方向の矢印で示した方向へと結露水が伝わり、そこで透湿防水シート９の破損等によって、実線の水平方向の矢印で示した方向へ、縦胴縁５の内方側の部材である面材８や軒天井部材１７に結露水が侵入することで、これら部材が腐食する虞があった。
【００１２】
又、軒天井部分２において外観を形成する従来の軒天井用見切縁材６１の取付工程や構造を変更することなく、上記課題を解決することが望まれていた。
【００１３】
この発明は、上記のような課題を解決するためになされたもので、縦胴縁の内方側の部材の腐食が抑制されると共に、外観形状に影響を与えない軒天井用水切構造体を提供することを目的とする。
【課題を解決するための手段】
【００１４】
上記の目的を達成するために、請求項１記載の発明は、軒天井部分の通気に用いられる軒天井用水切構造体であって、垂直面が、通気路を形成するための縦胴縁の外面下方に取付けられると共に、下面が、内方側に延びる軒天井用見切縁材と、縦胴縁の内面下方に配置される軒天井用水切材とを備え、軒天井用見切縁材の下面には通気穴が形成され、軒天井用水切材の下端は、通気穴の近傍に延びるものである。
【００１５】
このように構成すると、通気路の内方側に生じた結露水は軒天井用水切材を介して排出される。
【００１６】
請求項２記載の発明は、請求項１記載の発明の構成において、軒天井用水切材は、垂直部と、垂直部の下端に接続された延長部とを含み、垂直部は、縦胴縁が取付けられる面材と、面材の下端に接し水平方向内方に延びる軒天井部材の外方端に沿って取付けられ、軒天井用見切縁材の下面の内方側端部は、軒天井部材の下面に当接するものである。
【００１７】
このように構成すると、軒天井用水切材は軒天井用見切縁材の内方に位置する。
【００１８】
請求項３記載の発明は、請求項２記載の発明の構成において、軒天井用水切材の延長部は、軒天井用見切縁材の通気穴の内方側端部に向かって延びるものである。
【００１９】
このように構成すると、延長部は、通気穴を介しての通気効率を低下させない。
【００２０】
請求項４記載の発明は、請求項２記載の発明の構成において、軒天井用水切材の垂直部の下端は、軒天井部材の外方端の下方に位置し、軒天井用水切材の延長部の端部は、軒天井部材の下面に当接するものである。
【００２１】
このように構成すると、軒天井部材の水平度にかかわらず、その外方端を完全に囲う許容範囲が向上する。
【００２２】
請求項５記載の発明は、請求項２記載の発明の構成において、軒天井用水切材の延長部は、外方下方に延びると共に開口を有するものである。
【００２３】
このように構成すると、開口を介して通気が生じる。
【発明の効果】
【００２４】
以上説明したように、請求項１記載の発明は、通気路の内方側に生じた結露水は軒天井用水切材を介して排出されるため、縦胴縁の内方側の部材の腐食が抑制される。
【００２５】
請求項２記載の発明は、請求項１記載の発明の効果に加えて、軒天井用水切材は軒天井用見切縁材の内方に位置するため、軒天井用水切材が目立たない。
【００２６】
請求項３記載の発明は、請求項２記載の発明の効果に加えて、延長部は、通気穴を介しての通気効率を低下させないため、効率的な配置となる。
【００２７】
請求項４記載の発明は、請求項２記載の発明の効果に加えて、軒天井部材の水平度にかかわらず、その外方端を完全に囲う許容範囲が向上するため、防水効果がより向上する。
【００２８】
請求項５記載の発明は、請求項２記載の発明の効果に加えて、開口を介して通気が生じるため、通気効率の低下が抑制される。
【図面の簡単な説明】
【００２９】
【図１】この発明の第１の実施の形態による軒天井用水切構造体を軒天井部分に取付けたときの概略断面図であって、図１４に対応した図である。
【図２】図１で示した軒天井用水切構造体の軒天井用水切材の概略斜視図である。
【図３】図２で示したＩＩＩ−ＩＩＩラインから見た概略拡大断面図である。
【図４】図１で示した軒天井用水切構造体の取付工程の一部を示す概略断面図である。
【図５】図４で示した取付工程に続く軒天井用水切構造体の取付工程の他の一部を示す概略断面図である。
【図６】この発明の第２の実施の形態による軒天井用水切構造体を軒天井部分に取付けたときの概略断面図であって、図１に対応した図である。
【図７】図６で示した軒天井用水切構造体の軒天井用水切材の概略斜視図であって、図２に対応した図である。
【図８】図７で示したＶＩＩＩ−ＶＩＩＩラインから見た概略拡大断面図であって、図３に対応した図である。
【図９】軒天井部材が傾いた状態における取付工程の一部を示す概略断面図であって、（１）は角度θＲ＝９０度の軒天井用水切材を示し、（２）は図６で示した角度θ２の軒天井用水切材を示すもので、図４の（１）に対応した図である。
【図１０】この発明の第３の実施の形態による軒天井用水切構造体を軒天井部分に取付けたときの概略断面図であって、図１に対応した図である。
【図１１】図１０で示した軒天井用水切構造体の軒天井用水切材の概略斜視図であって、図２に対応した図である。
【図１２】図１１で示したＸＩＩ−ＸＩＩラインから見た概略拡大断面図であって、図３に対応した図である。
【図１３】図１１で示したＸＩＩＩ−ＸＩＩＩラインから見た概略拡大断面図であって、図３に対応した図である。
【図１４】従来の軒天井用見切縁材を軒天井部分に取付けたときの概略断面図である。
【図１５】図１４で示した軒天井用見切縁材の概略正面図である。
【図１６】図１４で示した軒天井用見切縁材の概略背面図である。
【図１７】図１４で示した軒天井用見切縁材の概略平面図である。
【図１８】図１７で示したＸＶＩＩＩ−ＸＶＩＩＩラインから見た概略拡大断面図である。
【図１９】図１７で示したＸＩＸ−ＸＩＸラインから見た概略拡大断面図である。
【発明を実施するための形態】
【００３０】
図１は、この発明の第１の実施の形態による軒天井用水切構造体を軒天井部分に取付けたときの概略断面図であって、図１４に対応した図である。
【００３１】
図を参照して、第１の実施の形態による軒天井用水切構造体１１は、建築物１の軒天井部分２の通気に用いられるものであって、図１４で示したものと同一構造の軒天井用見切縁材６１と、縦胴縁４の内面下方に配置されて、その下端は軒天井用見切縁材６１の下面７０の通気穴７１の近傍に延びる軒天井用水切材３１とから構成される。即ち、この軒天井用水切構造体１１は、図１４で示した軒天井用見切縁材６１に、軒天井用水切材３１を新たに追加したものである。
【００３２】
図２は、図１で示した軒天井用水切構造体の軒天井用水切材の概略斜視図であり、図３は、図２で示したＩＩＩ−ＩＩＩラインから見た概略拡大断面図である。
【００３３】
これらの図を参照して、軒天井用水切構造体１１の軒天井用水切材３１は、正面視長尺の矩形形状の鋼板素材からなる平板を折曲げ成形することによって形成され、図１で示した縦胴縁４の内面下方に、図１で示した透湿防水シート９を介して当接する垂直部３３と、垂直部３３の下端に接続されて、垂直部３３と角θ１をなして、図１で示した軒天井用見切縁材６１の下面７０の通気穴７１の内方側端部に向かって延びる延長部３８と、垂直部３３の上端に接続されて、外方側に折返すように形成された折返し部３５と、延長部３８の下端に接続されて、上方側に折返すように形成された折返し部４１とから構成される。
【００３４】
ここでは、軒天井用水切材３１の垂直部３３と延長部３８のなす角θ１は、１２０度に設定されている。又、軒天井用水切材３１の垂直部３３の垂直長さＨ１は４０ｍｍに、軒天井用水切材３１の延長部３８の水平長さＬ１は１０ｍｍに、各々設定されている。
【００３５】
尚、軒天井用水切材３１は、折返し部３５及び折返し部４１を設けることによって、曲げ強度を高めて、耐久性を向上させている。又、軒天井用水切材３１の後述する取付の際に、折返し部３５及び折返し部４１を設けることによって、端部に丸みを持たせて、安全な施工が実現できるようになっている。
【００３６】
使用に際して、図１を参照して、軒天井用水切構造体１１において、縦胴縁４間の通気路５の内方側で結露水等が生じた際に、実線の矢印で示した方向に、透湿防水シート９から軒天井用水切材３１の延長部３８の外方面へと結露水等が伝わる。そして、結露水等は、軒天井用水切材３１の延長部３８の下端から、軒天井用見切縁材６１の下面７０の通気穴７１を介して、軒下へと排出される。ところで、透湿防水シート９の破損等があった場合でも、軒天井用水切構造体１１の軒天井用水切材３１は透湿防水シート９の内方側に取付けられているため、通気路５の内方側に生じた結露水等は軒天井用水切材３１を介して排出されることになる。従って、縦胴縁４の内方側の部材の腐食が抑制されることになる。
【００３７】
又、実線の矢印とは反対方向に、外気が、軒天井用見切縁材６１の通気穴７１を介して、軒天井部分２における縦胴縁４間の通気層５に出入り自在に通気できるようになっている。このとき、軒天井用水切構造体１１の軒天井用水切材３１の延長部３８は、軒天井用見切縁材６１の通気穴７１の内方側端部に向かって延びているため、延長部３８は通気穴７１を介しての通気効率を低下させない。従って、軒天井用水切構造体１１は効率的な配置となる。
【００３８】
次に、軒天井用水切構造体１１の建築物１への取付工程について説明する。
【００３９】
図４は、図１で示した軒天井用水切構造体の取付工程の一部を示す概略断面図であり、図５は、図４で示した取付工程に続く軒天井用水切構造体の取付工程の他の一部を示す概略断面図である。
【００４０】
取付に際して、図４の（１）を参照して、建築物１の躯体２５の外方面に、木材からなる面材８が当接して取付けられている。又、躯体２５及び面材８の下面に、軒天井部材１７が当接して取付けられている。この建築物１において、軒天井用水切構造体１１の軒天井用水切材３１の垂直部３３を、実線の矢印の方向へ、後述するように縦胴縁４が取付けられる面材８と、面材８の下端に接して水平方向内方に延びる軒天井部材１７の外方端１８に沿って取付ける。その際、軒天井部材１７の垂直部３３の下端が、軒天井部材１７の外方端１８の下端の位置にくるようにして、釘等を用いて、面材８に軒天井用水切材３１の垂直部３３を当接させて固定する。
【００４１】
図４の（２）を参照して、透湿防水シート９を、実線の矢印の方向へ、鋲や釘等を用いて、面材８に取付ける。その際、透湿防水シート９の下端を、軒天井用水切材３１の垂直部３３の下端に合わせる。尚、透湿防水シート９と軒天井用水切材３１とを一体的に固定するために、両面テープ等を用いて、これらを貼り合わせても良い。
【００４２】
図４の（３）を参照して、縦胴縁４を、実線の矢印の方向へ、釘等を用いて、透湿防水シート９を介して、面材８に取付けて固定する。このとき、縦胴縁４の下端は、面材８の下端と略同一の高さ位置か、又は、面材８の下端よりも少し上方位置であることが好ましい。これにより、軒天井用水切材３１は、縦胴縁４の内面下方に配置されることになる。ここで、縦胴縁４の水平幅Ｗは、１５ｍｍに設定されている。
【００４３】
次に、図５の（１）を参照して、実線の矢印の方向へ、軒天井用見切縁材６１の下面７０の内方側端部７４である第１折曲げ面７５及び第２折曲げ面７６を軒天井部材１７の下面１９に当接させつつ、軒天井用見切縁材６１の垂直面６３（絶縁テープ６６）を釘等で縦胴縁４の外面下方に取付ける。その際、軒天井用見切縁材６１の垂直面６３の内面に貼り付けられた絶縁テープ６６は、縦胴縁４と当接する。即ち、この絶縁テープ６６によって、軒天井用見切縁材６１の垂直部６３が縦胴縁４と直接触れることがなくなるので、縦胴縁４に含まれる建築材料の防腐防蟻処理薬剤等の塗膜や鋼板に有害な成分等による腐食から垂直部６３が保護される。
【００４４】
又、上述のように軒天井用水切構造体１１は取付けられるので、軒天井用水切材３１は軒天井用見切縁材６１の内方に位置することになる。従って、軒天井用水切材３１は、外方から目立たなくなると共に、軒天井用水切構造体１１の外観形状に影響を与えない。
【００４５】
図５の（２）を参照して、裏打ち材２２及びメタルラス等のラス材２３を、実線の矢印の方向へ、縦胴縁４及び軒天井用見切縁材６１の垂直面６３（絶縁テープ６５）に取付ける。
【００４６】
図５の（３）を参照して、コテ３０を用いて、モルタル２８を、軒天井用見切縁材６１の傾斜面６８の絶縁テープ６５の上方、裏打ち材２２及びラス材２３に対して塗布する。その際、軒天井用見切縁材６１の傾斜面６８の下端は、モルタル用定規として機能して、モルタル２８の外面位置の基準となるので、モルタル施工が効率化する。ここで、軒天井用見切縁材６１の垂直面６３の外面に貼り付けられた絶縁テープ６５は、裏打ち材２２と当接するので、裏打ち材２２に含まれる防腐防蟻処理薬剤等の塗膜や鋼板に有害な成分等による腐食から、軒天井用見切縁材６１を保護することになる。又、軒天井用見切縁材６１の傾斜面６８の上面に貼り付けられた絶縁テープ６５は、モルタル２８と当接するので、同様に、モルタル２８の腐食成分から軒天井用見切縁材６１を保護することになり、軒天井用見切縁材６１の耐久性が向上する。
【００４７】
よって、軒天井用水切構造体１１の取付に当たっては、図４の（１）で示した軒天井用水切材３１の取付工程を、軒天井用見切縁材６１の取付工程前に、追加するだけで良い。従って、軒天井用水切構造体１１において、図１４で示した従来の軒天井用見切縁材６１の構造を変更する必要はない。
【００４８】
図６は、この発明の第２の実施の形態による軒天井用水切構造体を軒天井部分に取付けたときの概略断面図であって、図１に対応した図であり、図７は、図６で示した軒天井用水切構造体の軒天井用水切材の概略斜視図であって、図２に対応した図であり、図８は、図７で示したＶＩＩＩ−ＶＩＩＩラインから見た概略拡大断面図であって、図３に対応した図である。
【００４９】
尚、この第２の実施の形態による軒天井用水切構造体１２の軒天井用見切縁材６１は、図１で示した第１の実施の形態による軒天井用水切構造体１１の軒天井用見切縁材６１と同一である。又、この第２の実施の形態による軒天井用水切構造体１２の軒天井用水切材３１は、図１で示した第１の実施の形態による軒天井用水切構造体１１の軒天井用水切材３１と基本的な構成は同一である。ここでは、その相違点を中心に説明する。
【００５０】
これらの図を参照して、軒天井用水切構造体１２の軒天井用水切材３１の垂直部３３の下端は、軒天井部材１７の外方端１８の下方に位置する。
【００５１】
軒天井用水切構造体１２の軒天井用水切材３１の延長部３８は、垂直部３３と角θ２をなして、内方上方に傾斜して延び、その上方の端部３９が軒天井部材１７の下面１９に当接する。
【００５２】
ここでは、軒天井用水切材３１の垂直部３３と延長部３８のなす角θ２は、７５度に設定されている。又、軒天井用水切材３１の垂直部３３の垂直長さＨ２は４０ｍｍに、軒天井用水切材３１の延長部３８の水平長さＬ２は１５ｍｍに、各々設定されている。
【００５３】
使用に際して、図６を参照して、軒天井用水切構造体１２において、縦胴縁４間の通気路５の内方側で結露水等が生じた際に、実線の矢印で示した方向に、透湿防水シート９から軒天井用水切材３１の垂直部３３の外方面へと結露水等が伝わる。そして、結露水等は、軒天井用水切材３１の垂直部３３の下端から、軒天井用見切縁材６１の通気穴７１を介して、軒下へと排出される。
【００５４】
ここで、軒天井用水切構造体１２の軒天井用水切材３１を上述のように構成した理由について、比較例を示して説明する。
【００５５】
図９は、軒天井部材が傾いた状態における取付工程の一部を示す概略断面図であって、（１）は角度θＲ＝９０度の軒天井用水切材を示し、（２）は図６で示した角度θ２の軒天井用水切材を示すもので、図４の（１）に対応した図である。
【００５６】
図９の（１）を参照して、比較例の軒天井用水切材５１の垂直部３３と延長部３８とのなす角θＲは、９０度に設定されている。この軒天井用水切材５１を、面材８及び上方に傾斜した軒天井部材１７に取付けた場合、軒天井用水切材５１の延長部３８の端部３９と軒天井部材１７の下面１９との間に隙間が生じてしまう。
【００５７】
一方、図９の（２）を参照して、図６で示した軒天井用水切構造体１２の軒天井用水切材３１を、面材８及び図９の（１）と同様の上方に傾斜した軒天井部材１７に取付けた場合、軒天井用水切材３１の延長部３８の端部３９は、軒天井部材１７の下面１９に当接する。即ち、軒天井用水切材３１の延長部３８の端部３９と軒天井部材１７の下面１９との間に隙間は生じない。従って、軒天井部材１７の水平度に対して、その外方端１８を完全に囲う許容範囲が向上するため、防水効果がより向上する。又、軒天井用水切材３１を取付ける際に、軒天井用水切材３１の延長部３８の端部３９を、軒天井部材１７の下面１９に当接させつつ、軒天井用水切材３１の垂直部３３を面材８に当接させることができ、取付位置を目視ではなく、当接状態で確認できるので、取付作業の効率が向上する。
【００５８】
図１０は、この発明の第３の実施の形態による軒天井用水切構造体を軒天井部分に取付けたときの概略断面図であって、図１に対応した図であり、図１１は、図１０で示した軒天井用水切構造体の軒天井用水切材の概略斜視図であって、図２に対応した図であり、図１２は、図１１で示したＸＩＩ−ＸＩＩラインから見た概略拡大断面図であって、図３に対応した図であり、図１３は、図１１で示したＸＩＩＩ−ＸＩＩＩラインから見た概略拡大断面図であって、図３に対応した図である。
【００５９】
尚、この第３の実施の形態による軒天井用水切構造体１３の軒天井用見切縁材６１は、図１で示した第１の実施の形態による軒天井用水切構造体１１の軒天井用見切縁材６１と同一である。又、この第３の実施の形態による軒天井用水切構造体１３の軒天井用水切材３１は、図１で示した第１の実施の形態による軒天井用水切構造体１１の軒天井用水切材３１と基本的な構成は同一である。ここでは、その相違点を中心に説明する。
【００６０】
これらの図を参照して、軒天井用水切構造体１３の軒天井用水切材３１の延長部３８は、垂直部３３と角θ３をなして、外方下方に傾斜して延びると共に、正面視左右方向に規則正しい間隔で形成された矩形形状の多数の開口４４を有する。
【００６１】
ここでは、軒天井用水切材３１の垂直部３３と延長部３８のなす角θ３は、１２０度に設定されている。又、軒天井用水切材３１の垂直部３３の垂直長さＨ３は４０ｍｍに、軒天井用水切材３１の延長部３８の水平長さＬ３は１５ｍｍに、各々設定されている。
【００６２】
軒天井用水切材３１の垂直部３３の上端には、内方側に折返すように形成された折返し部３６が接続されている。
【００６３】
使用に際して、図１０を参照して、軒天井用水切構造体１３において、縦胴縁４間の通気路５の内方側で結露水等が生じた際に、実線の矢印で示した方向に、透湿防水シート９から軒天井用水切材３１の延長部３８の開口４４を介して下方へと結露水等が落ちる。そして、その結露水等は、軒天井用見切縁材６１の通気穴７１を介して、軒下へと排出される。
【００６４】
又、軒天井用水切材３１の延長部３８の開口４４を介して、通気が生じる。それ故、延長部３８が開口４４を有していない場合に比べて、通気効率の低下が抑制される。
【００６５】
取付に際して、図１０を参照して、軒天井用水切構造体１３の軒天井用水切材３１の垂直部３３を、釘等を用いて、面材８に当接させて固定する。このとき、軒天井用水切構造体１３の軒天井用水切材３１の折返し部３６は内方側に折返すように形成されているため、折返し部３６が面材８と当接する圧力は、垂直部３３が面材８と当接する圧力に比べると強くなる。これにより、軒天井用水切材３１の上方からの結露水等の侵入をより確実に防ぐことができる。又、逆に、軒天井用水切材３１の下方からの結露水等の侵入もより確実に防ぐことができる。
【００６６】
尚、上記の各実施の形態では、軒天井用水切構造体の軒天井用見切縁材は、鋼板素材からなるものであったが、合成樹脂等の他の素材から形成されたものであっても良い。
【００６７】
又、上記の各実施の形態では、軒天井用水切構造体の軒天井用水切材は、鋼板素材からなる平板を折曲げ成形で形成されたものであったが、合成樹脂による押出成形等の他の素材から形成されたものであっても良い。
【００６８】
更に、上記の各実施の形態では、軒天井用見切縁材は、１枚の平板から形成されたものであったが、複数の部材を接続して形成されたものであっても良い。
【００６９】
更に、上記の各実施の形態では、軒天井用水切材は、１枚の平板から形成されたものであったが、複数の部材を接続して形成されたものであっても良い。
【００７０】
更に、上記の各実施の形態では、軒天井用見切縁材は、第１折曲げ面及び第２折曲げ面を有するものであったが、第１折曲げ面及び第２折曲げ面はなくても良い。
【００７１】
更に、上記の各実施の形態では、軒天井用水切材は、折返し部を有するものであったが、折返し部はなくても良い。
【００７２】
更に、上記の各実施の形態では、軒天井用見切縁材の通気穴は、特定の個数、形状及び配置を有するものであったが、それ以外の個数、形状及び配置であっても良い。
【００７３】
更に、上記の第３の実施の形態では、軒天井用水切材の延長部の開口は、特定の個数、形状及び配置を有するものであったが、それ以外の個数、形状及び配置であっても良い。又は、開口はなくても良い。
【００７４】
更に、上記の各実施の形態では、軒天井用見切縁材は、絶縁テープを有するものであったが、絶縁テープはなくても良い。
【００７５】
更に、上記の各実施の形態では、軒天井用水切材は、垂直部と延長部とのなす角、垂直部の垂直長さ、及び、延長部の水平長さは、各々特定の値であったが、各々他の値であっても良い。
【００７６】
更に、上記の各実施の形態では、軒天井用見切縁材の下面と傾斜面とのなす角は、下面が水平面よりも上方に傾斜するような値に設定されていたが、下面が内方側に延びるものであれば、それ以外の値であっても良い。
【００７７】
更に、上記の第１及び第２の実施の形態の各々では、軒天井用水切材の垂直部の上端に接続された折返し部は、外方側に折返すように形成されていたが、内方側に折返すように形成されていても良い。このように形成することにより、第３の実施の形態と同様の効果を奏することになる。
【００７８】
更に、上記の第３の実施の形態では、軒天井用水切材の垂直部の上端に接続された折返し部は、内方側に折返すように形成されていたが、外方側に折返すように形成されていても良い。
【００７９】
更に、上記の各実施の形態では、軒天井用水切材は、延長部を有するものであったが、軒天井用水切材の下端が軒天井用見切縁材の下面の通気穴の近傍に延びるものであれば、延長部はなくても良い。
【００８０】
更に、上記の各実施の形態では、軒天井用水切材の延長部は、特定方向に延びるものであったが、軒天井用水切材の下端が軒天井用見切縁材の下面の通気穴の近傍に延びるものであれば、それ以外の方向へ延びるものであっても良い。
【００８１】
更に、上記の各実施の形態では、軒天井用水切材の垂直部は、透湿防水シートを介して縦胴縁に当接するものであったが、軒天井用水切材が縦胴縁の内面下方に配置されるものであれば、その他の配置方法であっても良い。
【００８２】
更に、上記の各実施の形態では、軒天井用水切材の垂直部は、面材に特定位置で取付けられるものであったが、軒天井用水切材が縦胴縁の内面下方に配置されるものであれば、その他の位置に取付けられても良い。
【００８３】
更に、上記の各実施の形態では、軒天井用見切縁材の下面は、その内方側端部が軒天井部材の下面に当接するものであったが、内方側に延びるものであれば、軒天井部材の下面に当接していなくても良い。
【００８４】
更に、上記の各実施の形態では、軒天井用見切縁材は、傾斜面を有するものであったが、軒天井用見切縁材の外方側にモルタルを塗布でき、軒天井用見切縁材が縦胴縁の外面下方に取付けられる垂直面と、内方側に延びる下面とを有するものであれば、傾斜面はなくても良い。
【００８５】
更に、上記の各実施の形態では、縦胴縁は、その下端が特定位置となるように取付けられたものであったが、軒天井用水切材が縦胴縁の内面下方に配置されるものであれば、それ以外の位置で取付けられるものであっても良い。
【００８６】
更に、上記の各実施の形態では、縦胴縁は、特定の水平幅を有するものであったが、それ以外の水平幅であっても良い。
【符号の説明】
【００８７】
２…軒天井部分
４…縦胴縁
５…通気路
８…面材
１１〜１３…軒天井用水切構造体
１７…軒天井部材
１８…外方端
１９…下面
３１…軒天井用水切材
３３…垂直部
３８…延長部
３９…端部
４４…開口
６１…軒天井用見切縁材
６３…垂直面
７０…下面
７１…通気穴
７４…内方側端部
尚、各図中同一符号は同一又は相当部分を示す。
【図１】
0006349209.tif 000002
【図２】
0006349209.tif 000003
【図３】
0006349209.tif 000004
【図４】
0006349209.tif 000005
【図５】
0006349209.tif 000006
【図６】
0006349209.tif 000007
【図７】
0006349209.tif 000008
【図８】
0006349209.tif 000009
【図９】
0006349209.tif 000010
【図１０】
0006349209.tif 000011
【図１１】
0006349209.tif 000012
【図１２】
0006349209.tif 000013
【図１３】
0006349209.tif 000014
【図１４】
0006349209.tif 000015
【図１５】
0006349209.tif 000016
【図１６】
0006349209.tif 000017
【図１７】
0006349209.tif 000018
【図１８】
0006349209.tif 000019
【図１９】
0006349209.tif 000020